(57)【特許請求の範囲】
【請求項１】
扉と、扉の戸先側に設けた門柱とを備え、門柱は、扉と対向する見込み面に溝部が長手方向に沿って設けてあり、溝部に嵌合して中空形材よりなる門柱補助材が取付けてあり、門柱補助材に錠受けが取付けてあり、門柱補助材又は扉の戸先部の一方に、他方の見付面に当接する戸当り兼隙間隠しが取付けてあることを特徴とする門扉。
【請求項２】
扉と、扉の戸先側に設けた門柱とを備え、門柱は、扉と対向する見込み面と見付面とに溝部が長手方向に沿って設けてあり、見込み面の溝部に嵌合して中空形材よりなる門柱補助材が取付けてあり、門柱補助材又は門柱の見付面の溝部に錠受けが取付けてあり、門柱補助材又は扉の戸先部の一方に、他方の見付面に当接する戸当り兼隙間隠しが取付けてあることを特徴とする門扉。
【発明の詳細な説明】
【技術分野】
【０００１】
本発明は、門扉に関する。
【背景技術】
【０００２】
片開きの門扉には、扉が敷地側に開く内開きのものと、扉が道路側に開く外開きのものとがある。従来、内開きの門扉では、図８（ａ）に示すように、戸先側の門柱９０に扉９１の戸先との間の隙間９３を隠す隙間隠し９２を取付けているが、外開きの門扉では、図８（ｂ）に示すように、門柱９０に隙間隠し９２を取付けると扉９１が開けられなくなるため、隙間隠し９２を取付けることができなかった。そのため、扉９１の戸先と門柱９０の間の隙間に９３ができて意匠的に悪いだけでなく、隙間９３にバール等が差し入れられ、鍵が破壊されることがあった。
【発明の概要】
【発明が解決しようとする課題】
【０００３】
本発明は以上に述べた実情に鑑み、内開きと外開きのどちらの場合でも隙間隠しを取付けることができる門扉の提供を目的とする。
【課題を解決するための手段】
【０００４】
上記の課題を達成するために請求項１記載の発明による門扉は、扉と、扉の戸先側に設けた門柱とを備え、門柱は、扉と対向する見込み面に溝部が長手方向に沿って設けてあり、溝部に嵌合して中空形材よりなる門柱補助材が取付けてあり、門柱補助材に錠受けが取付けてあり、門柱補助材又は扉の戸先部の一方に、他方の見付面に当接する戸当り兼隙間隠しが取付けてあることを特徴とする。
【０００５】
請求項２記載の発明による門扉は、扉と、扉の戸先側に設けた門柱とを備え、門柱は、扉と対向する見込み面と見付面とに溝部が長手方向に沿って設けてあり、見込み面の溝部に嵌合して中空形材よりなる門柱補助材が取付けてあり、門柱補助材又は門柱の見付面の溝部に錠受けが取付けてあり、門柱補助材又は扉の戸先部の一方に、他方の見付面に当接する戸当り兼隙間隠しが取付けてあることを特徴とする。
【発明の効果】
【０００６】
請求項１記載の発明による門扉は、門柱の扉と対向する見込み面に溝部が長手方向に沿って設けてあり、溝部に嵌合して中空形材よりなる門柱補助材を取付け、門柱補助材又は扉の戸先部の一方に、他方の見付面に当接する戸当り兼隙間隠しを取付けることで、内開きと外開きのどちらの場合でも隙間隠しを取付けることができる。門柱の溝部に嵌合して門柱補助材を取付けることで、門柱補助材の門柱見込み面からの出っ張り量を小さくできるだけでなく、施工が容易でズレずに取付けることができ、さらに高い取付け強度が得られる。また、中空形材よりなる門柱補助材としたことで、門柱補助材内部に錠受けを取付けることが可能となる。
【０００７】
請求項２記載の発明による門扉は、門柱の扉と対向する見込み面と見付面とに溝部が長手方向に沿って設けてあり、見込み面の溝部に嵌合して中空形材よりなる門柱補助材を取付け、門柱補助材又は扉の戸先部の一方に、他方の見付面に当接する戸当り兼隙間隠しを取付けることで、内開きと外開きのどちらの場合でも隙間隠しを取付けることができる。さらに、錠受けを門柱補助材と門柱の見付面の溝部のどちらにも取付けできるので、錠を扉の戸先部に埋め込んで取付ける場合と、錠を扉の外部に持ち出して取付ける場合の何れにも対応できる。門柱の溝部に嵌合して門柱補助材を取付けることで、門柱補助材の門柱見込み面からの出っ張り量を小さくできるだけでなく、施工が容易でズレずに取付けることができ、さらに高い取付け強度が得られる。また、中空形材よりなる門柱補助材としたことで、門柱補助材内部に必要に応じて錠受けを取付けることが可能となる。
【図面の簡単な説明】
【０００８】
【図１】本発明の門扉の第１実施形態を示す横断面図である。
【図２】同門扉の本締り錠部を示す横断面図である。
【図３】同門扉の道路側から見た正面図である。
【図４】本発明の門扉の第２実施形態を示す横断面図である。
【図５】本発明の門扉の第３実施形態を示す横断面図である。
【図６】同門扉の敷地側から見た正面図である。
【図７】本発明の門扉の第４実施形態を示す横断面図である。
【図８】従来の門扉の横断面図であって、（ａ）は内開きの場合、（ｂ）は外開きの場合を示す。
【発明を実施するための形態】
【０００９】
以下、本発明の実施の形態を図面に基づいて説明する。図１〜３は、本発明の門扉の第１実施形態を示している。この門扉は、扉が道路側に開く外開きの片開き門扉であり、図１，３に示すように、一対の門柱２，１０が地面に間隔をおいて立設され、一方の門柱１０に扉１がヒンジ１１で取付けられている。
【００１０】
両門柱２，１０は、アルミニウム合金の押出形材で形成したものであり、図１に示すように、吊元側の門柱１０は見付け（横幅）寸法と見込み（奥行き）寸法が同一の正方形断面になっている。
戸先側の門柱２は、見込み寸法は吊元側の門柱１０と同じで、見付け寸法が吊元側の門柱１０よりも小さくなっている。戸先側の門柱２は、扉１と対向する見込み面２ａの敷地側端部の位置に溝部３が長手方向に沿って設けてある。該溝部３には、アルミニウム合金の中空押出形材よりなる門柱補助材５が扉１の高さ方向の略全長にわたって取付けてある。門柱補助材５は、門柱２の側方から溝部３に嵌合させ、側方からのネジ１２で溝部３の底面に固定されている。門柱補助材５は、敷地側の見付面５ａが門柱２の敷地側の見付面２ｂと面一になっており、門柱２と門柱補助材５とを合わせた見付け寸法が吊元側の門柱１０の見付け寸法と同じになっている。
さらに戸先側の門柱２は、敷地側の見付面２ｂにも溝部４が、見込み面の溝部３と隣接する形で長手方向に沿って設けてある。なお、本実施形態ではこの見付面の溝部４は使用しない。
【００１１】
扉１は、図１〜３に示すように、戸先部にラッチ錠１３と本締り錠１４とハンドル１５とが取付けてある。ラッチ錠１３は、図１に示すように、扉１の戸先側の見込み面から扉内１に収納して設けてある。本締り錠１４も、図２に示すように、扉１の戸先側の見込み面から扉１内に収納して設けてある。ハンドル１５は、扉１の道路側及び敷地側の見付面に取付けてあり、ハンドル１５の押し引き操作に連動してラッチ錠１３のラッチボルト１６が扉１の戸先側の見込み面から出没するようになっている。
門柱補助材５には、図１，２に示すように、扉１と対向する見込み面に、ラッチ錠１３のラッチボルト１６が係合するラッチ錠受け６と、本締り錠１４のデッドボルト１７が係合する本締り錠受け７が取付けてある。ラッチ錠受け６と本締り錠受け７は、取付け板部１８と、ラッチボルト１６・デッドボルト１７がそれぞれ係合する凹部１９とを有しており、門柱補助材５の見込み面に孔を開けて凹部１９を門柱補助材５内部に挿入し、取付け板部１８を門柱補助材５の見込み面にネジ２０で固定している。
【００１２】
扉１の戸先部の道路側の見付面には、図１，３に示すように、戸当り兼隙間隠し８が扉１の高さ方向の略全長にわたって取付けてある。戸当り兼隙間隠し８は、アルミニウム合金の押出形材よりなる本体部２１と、ゴム質のパッキン２２とを有し、本体部２１が扉１の戸先部にネジ２３で固定され、パッキン２２は門柱補助材５の道路側の見付面５ｂに当接している。本門扉は、このように戸当り兼隙間隠し８を取付けることで、道路側から見て扉１の戸先部と門柱２間に隙間が開かないので、意匠性と防犯性が向上している。
戸当り兼隙間隠し８の戸先側の先端と門柱２の見込み面２ａ間には１０ｍｍ程度の隙間２４が設けられ、これにより扉１の戸先と門柱２間に指を挟むのを防ぐことができる。
門柱補助材５の門柱２見込み面２ａからの出っ張り幅は、戸当り兼隙間隠し８が戸当りとして当接するのに必要な幅と隙間２４を設けることができる幅を合わせただけあればよい。しかし、門柱補助材５の見付寸法は、錠受け６，７を内部に納めるため該出っ張り幅より大きくなるが、門柱補助材５を門柱２の溝部３に嵌合して取付けることで、必要最小限の出っ張り幅に抑えることができる。
【００１３】
図４は、本発明の門扉の第２実施形態であって、扉１が敷地側に開く内開きの片開き門扉の場合を示している。この場合は、戸当り兼隙間隠し８が門柱補助材５の道路側の見付面５ｂにネジ２３で取付けられ、戸当り兼隙間隠し８のパッキン２２が扉１の戸先部の道路側の見付面に当接している。戸当り兼隙間隠し８は、第１実施形態と同一のものを使用している。
【００１４】
以上に述べたように本発明による門扉は、戸先側の門柱２の扉１と対向する見込み面２ａに溝部３が長手方向に沿って設けてあり、溝部３に嵌合して中空形材よりなる門柱補助材５を取付け、門柱補助材５又は扉１の戸先部の一方に、他方の見付面に当接する戸当り兼隙間隠し８を取付けることで、内開きと外開きのどちらの場合でも隙間隠しを取付けることができる。そのため、扉１の戸先部と門柱２間に隙間が開かず、意匠性、防犯性が向上する。門柱２の溝部３に嵌合して門柱補助材５を取付けることで、門柱補助材５の門柱２見込み面２ａからの出っ張り量を小さくできるだけでなく、施工が容易でズレずに取付けることができ、さらに高い取付け強度が得られる。また、中空形材よりなる門柱補助材５としたことで、門柱補助材５内部に錠受け６，７を取付けることが可能となる。
【００１５】
図５，６は、本発明の門扉の第３実施形態を示している。この門扉は、第１実施形態と同様に、扉１が道路側に開く外開きの片開き門扉であり、扉１の敷地側の見付面に取付けられるハンドル１５の台座部２５にラッチ錠１３が一体に構成され、台座部２５の戸先側の見込み面よりラッチボルト１６が出没するようになっている。
戸先側の門柱２は、敷地側の見付面２ｂにラッチボルト１６と係合する錠受け９を取付けている。錠受け９は、ブロック状のものであって、門柱２の敷地側の見付面２ｂに設けた溝部４に裏板２６を保持し、錠受け９に敷地側から挿入したネジ２７を裏板２６に螺合することで、門柱２の任意の高さ位置に取付けできるようになっている。
門柱２の見込み面２ａの溝部３に門柱補助材５が取付けてある点、扉１の戸先部に戸当り兼隙間隠し８が取付けられ、戸当り兼隙間隠し８が門柱補助材５の道路側の見付面５ｂに当接している点は、第１実施形態と同様である。
【００１６】
図７は、本発明の門扉の第４実施形態を示している。この門扉は、第２実施形態と同様に、扉１が敷地側に開く内開きの片開き門扉であり、扉１の敷地側の見付面に取付けられるハンドル１５の台座部２５にラッチ錠１３が一体に構成され、台座部２５の戸先側の見込み面よりラッチボルト１６が出没するようになっている。
戸先側の門柱２は、敷地側の見付面２ｂにラッチボルト１６と係合する錠受け９を取付けている。錠受け９は、門柱２の敷地側の見付面２ｂに設けた溝部４に裏板２６を保持し、錠受け９に敷地側から挿入したネジ２７を裏板２６に螺合することで、門柱２の任意の高さ位置に取付けできるようになっている。
門柱２の見込み面２ａの溝部３に門柱補助材５が取付けてある点、門柱補助材５の道路側の見付面５ｂに戸当り兼隙間隠し８が取付けられ、戸当り兼隙間隠し８が扉１の戸先部の道路側の見付面に当接している点は、第２実施形態と同様である。
【００１７】
以上に述べたように本発明の門扉は、門柱２の見付面２ｂにも溝部４を有しており、この見付面２ｂの溝部４に錠受け９を取付けることで、第１，第２実施形態のように錠１３，１４を扉１の戸先部に埋め込んで設ける場合だけでなく、錠１３を扉１の外部に持ち出して取付ける場合にも対応することができる。この場合にも、門柱２の見込み面２ａの溝部３に門柱補助材５を取付け、門柱補助材５又は扉１の戸先部の一方に、他方の見付面に当接する戸当り兼隙間隠し８を取付けることで、内開きと外開きのどちらの場合でも隙間隠しを取付けることができる。
【００１８】
本発明は以上に述べた実施形態に限定されない。扉の開き勝手が左右逆の場合は、戸先側の門柱２を上下反転して門柱補助材５を取り付ければよく、逆勝手用の戸先側の門柱や門柱補助材を用意する必要がない。また、門柱補助材５は反転せずにそのまま取り付けることができるので、門柱補助材に逆勝手用の加工を施す必要もない。門柱の溝部の形状、門柱補助材の断面形状等は、適宜変更することができる。扉自体の構造、扉に設けられる錠やハンドル等の構造は、任意である。
【符号の説明】
【００１９】
１  扉
２  門柱
３  溝部（見込み面）
４  溝部（見付面）
５  門柱補助材
６  ラッチ錠受け（錠受け）
７  本締り錠受け（錠受け）
８  戸当り兼隙間隠し
９  錠受け
【図１】
0006370194.tif 000002
【図２】
0006370194.tif 000003
【図３】
0006370194.tif 000004
【図４】
0006370194.tif 000005
【図５】
0006370194.tif 000006
【図６】
0006370194.tif 000007
【図７】
0006370194.tif 000008
【図８】
0006370194.tif 000009